(57)【要約】【課題】この発明は、容器本体を体の動きに合致した安定した装着を実現したうえで、取付け形態の多様化を図り得るようにすることにある。【解決手段】容器本体１０の周壁に釣り人の衣服のポケット１５に着脱される屈曲部１４２，１４２、容器本体１０の壁面方向に突出する突部１４３，１４３、及び容器本体１０に対して屈曲部１４２，１４２より大きく離間される係合部１４４が設けられた保持部材１４を設け、この保持部材１４を介して衣服のポケット１５に装着するように構成したものである。【選択図】      図３
2005269939.tif 000002
【特許請求の範囲】
【請求項１】
容器本体と、
この容器本体に設けられ、被取付部に着脱される第１の係止部、及び該第１の係止部より前記容器本体から離間する方向に延出される第２の係止部が設けられた保持部と、
を具備することを特徴とする釣り用餌箱。
【請求項２】
前記第２係止部の先端は、前記容器本体の下面より下方側に位置されることを特徴とする請求項１記載の釣り用餌箱。
【請求項３】
前記保持部は、前記第１の係止部と前記第２の係止部との中間部に前記容器本体の壁面方向に突出される第３の係止部が設けられることを特徴とする請求項１又は２記載の釣り用餌箱。
【請求項４】
前記保持部は、少なくとも前記第２の係止部が屈曲調整可能に設けられることを特徴とする請求項１乃至３のいずれか記載の釣り用餌箱。
【請求項５】
前記容器本体は、底面が前記保持部方向に迫り上がるように傾斜されることを特徴とする請求項１乃至４のいずれか記載の釣り用餌箱。
【発明の詳細な説明】
【技術分野】
【０００１】
この発明は、例えば餌を収容して携帯し、移動しながら魚釣りを行うのに用いる釣り用餌箱に関する。
【背景技術】
【０００２】
従来より、魚釣りに用いる釣り用餌箱においては、移動しながら魚釣りを行うことができるように、餌を収容した容器本体を身につけて、すぐに容器内の餌を取り出すことが可能な携帯型がある。このような釣り用餌箱としては、容器本体の周壁にフック状の保持部を設け、この保持部に釣り人のバンドを通して釣り人の腰に下げる方式のものが知られている（例えば、特許文献１参照。）。
【特許文献１】実願昭６３―１２２０８３号公報
【発明の開示】
【発明が解決しようとする課題】
【０００３】
しかしながら、上記釣り用餌箱では、その使用形態が釣り人の腰に下げて容器本体内の餌を取り出して餌付け作業を行うこととなるために、その餌付けから魚釣り動作の一連の動作に大きな動きが必要となるため、魚釣り形態によっては、餌付け作業が煩雑なものとなっている。
【０００４】
そこで、このような釣り形態の場合には、上記釣り用餌箱のフック状の保持部を利用して、容器本体を釣り人の衣服の胸のポケット等の腰より上の部位に直接的に装着して、魚釣り形態の多様化に対応することも考えられる。
【０００５】
ところが、上記釣り用餌箱では、釣り人の腰より上に装着した場合、釣り人の前に屈んだりすると、容器本体が前に大きく傾いて、収容される水や餌がこぼれたりする虞を有するために、魚釣り動作に制約を与えるという不都合を有する。
【０００６】
この発明は上記の事情に鑑みてなされたもので、構成簡易にして、体の動きに合致した安定した装着を実現したうえで、取付け形態の多様化を図り得るようにした釣り用餌箱を提供することを目的とする。
【課題を解決するための手段】
【０００７】
この発明は、容器本体と、この容器本体に設けられ、被取付部に着脱される第１の係止部、及び該第１の係止部より前記容器本体から離間する方向に延出される第２の係止部が設けられた保持部とを備えて釣り用餌箱を構成した。
【０００８】
上記構成によれば、保持部は、第１の係止部が、被取付部、例えば釣り人の衣服の胸等のポケットを差し込む如く挿入した装着状態において、その第２の係止部の先端部が被取付部の側壁に係止されることにより、容器本体の被取付部に対する傾きを規制する。これにより、被取付部に第１の係止部が装着された状態で、釣り人が前に屈んで、その重みが前に移動した場合にも、第２の係止部が容器本体の被取付部に対する傾きを規制することで、該容器本体が被取付部と略同様の傾斜角度に維持されて、その傾き過ぎにより水や餌が外にこぼれるのが防止される。
【発明の効果】
【０００９】
この発明によれば、構成簡易にして、体の動きに合致した安定した装着を実現したうえで、取付け形態の多様化を図り得るようにした釣り用餌箱を提供することができる。
【発明を実施するための最良の形態】
【００１０】
以下、この発明の実施の形態について、図面を参照して詳細に説明する。
【００１１】
図１及び図２は、この発明の一実施の形態に係る釣り用餌箱を示すもので、図１は前面側から見た状態を示し、図２は、後面側から見た状態を示す。
【００１２】
即ち、容器本体１０は、例えば塩化ビニールやエチレン酢酸ビニール等の樹脂シート材を溶着等の手法で断面略四辺形状に成形されて、その上面が開口され、底面が後面側から前面側に深くなるように傾斜された形状（後面側に迫り上がる形状）に形成されている。これにより、容器本体１０に収容される水及び餌は、容器本体１０が前面側に傾いてしまった場合にも、その底面が前面側が深く傾斜されていることで、そのもれが抑えられる。そして、容器本体１０の底面近傍の内部には、例えば網目状の中敷き１０１が設けられる。
【００１３】
また、容器本体１０の上面周縁部には、例えば図３に示すように補強用のフレーム部材１１が取付けられ、その前面側周縁部にヒンジ部１２が設けられる。そして、このヒンジ部１２には、上面の開口を閉塞する蓋体１３が開閉自在に取付けられる。また、容器本体１０には、この後面側の上面近傍に容器本体取付用の一対の取付孔１０２，１０２が所定の間隔に設けられ、この容器本体１０の一対の取付孔１０２，１０２には、保持部を構成する保持部材１４が挿通されて、この挿通された保持部材１４には、例えば略鉤状に折曲形成された一対の容器本体取付用の取付部１４１，１４１が形成されて、容器本体１０（の内側）に係止されて取付けられ、保持部材１４が容器本体１０の後方側（後面側）に配置される。
【００１４】
保持部材１４は、例えばステンレス等の金属材料製の線材を曲げ加工して、その両端部に上記取付部１４１，１４１が折曲形成され、この一対の取付部１４１，１４１に連続して第１の係止部を形成する略凹状の一対の屈曲部１４２、１４２が、上記容器本体１０の上面より突出するように折曲形成され、屈曲部１４２、１４２の内側に被取付部が差し込み可能となっている。この屈曲部１４２，１４２としては、例えば弾性力を利用して被取付部である、例えば釣り人のポケット１５の前布部１５１を係止するように構成される。ただし、上記第１の係止部を構成する屈曲部１４２、１４２は、被取付部を挟持するようにして係止してもよいが、釣り用餌箱が被取付部に引掛けられるものであればよい。
【００１５】
また、この保持部材１４には、上記屈曲部１４２，１４２に連続して位置規制用の一対の突部１４３，１４３が、上記容器本体１０の壁面（後面）方向に突出して折曲形成される。この一対の突部１４３、１４３は、例えば上記容器本体１０の壁面の下方端に対向され、略矩形状に折曲形成される第２の係止部を構成する位置規制用の係合部１４４を介して連接される。
【００１６】
この一対の突部１４３，１４３は、例えば容器本体１０の後面側に所望の弾性力を有して当接するように設けられ、上記ポケット１５の前布部１５１を介して容器本体１０の後面に弾性力を有して当接される。そして、上記係合部１４４は、その端部が上記屈曲部１４２，１４２より容器本体１０の壁面から大きく離間されると共に、容器本体１０の底面より下方方向に延出されて形成される。
【００１７】
なお、上記保持部材１４を構成する線材としては、金属材料に限ることなく、樹脂材料を用いて構成してもよい。
【００１８】
上記構成において、容器本体１０には、その一対の取付孔１０２，１０２に対して保持部材１４の取付部１４１，１４１が挿入されて該保持部材１４が取付けられる。そして、この容器本体１０を釣り人の衣服のポケット１５に装着する場合には、保持部材１４の屈曲部１４２，１４２に、その弾性力を利用して該ポケット１５の前布部１５１を差し込む如く挿入して収容する（図３参照）。
【００１９】
ここで、保持部材１４は、突部１４３，１４３が、例えばその弾性力により、ポケット１５の前布部１５１を介して容器本体１０の後面側に当接されると共に、その係合部１４４がポケット１５を構成する衣服本体面１５２に当接される。これにより、容器本体１０は、保持部材１４の屈曲部１４２，１４２及び突部１４３，１４３によりポケット１５の前布部１５１に係止された状態で、係合部１４４がポケット１５内の衣服本体面１５２に当接されてポケット１５に安定した状態で装着される。
【００２０】
ここで、保持部材１４は、例えばその係合部１４４がポケット１５の衣服本体面１５２にうまく係合させることができない場合、係合部１４４を変形させるなど該係合部１４４の傾斜角度等を調整することで、衣服本体面１５２に確実に係合するように調整することも可能である。
【００２１】
この容器本体１０をポケット１５に装着した状態で、釣り人は、所望の場所に移動して、餌付けを行う場合には、容器本体１０の上面の蓋体１３を開いて、内部に収容した餌を手にして餌付けを行い、餌付けが完了した状態で、蓋体１３を閉じる。その後、釣り人が魚釣りを開始し、例えば前に屈んだ場合、容器本体１０は、保持部材１４の屈曲部１４２，１４２及び突部１４３，１４３によりポケット１５の前布部１５１に係止されると共に、係合部１４４がポケット１５内の衣服本体面１５２に当接され、ポケット１５に安定した状態で装着されていることで、その位置ずれが防止されて重みの移動が防止される。この結果、容器本体１０は、釣り人の前屈み角度と略同じだけ傾き、収容される水や餌がこぼれるのを防止することができる。
【００２２】
なお、上記説明では、容器本体１０の保持部材１４を、釣り人の衣服のポケット１５に装着した場合を代表して説明したが、その他、釣り人のバンドを利用して挿着したり、衣服の前見ごろを利用して装着したりしてもよい。
【００２３】
このように、上記釣り用餌箱は、容器本体１０の周壁に釣り人の衣服のポケット１５に着脱される屈曲部１４２，１４２、容器本体１０の壁面方向に突出する突部１４３，１４３、及び容器本体１０に対して屈曲部１４２，１４２より大きく離間される係合部１４４が設けられた保持部材１４を設け、この保持部材１４を介して衣服のポケット１５に装着するように構成した。
【００２４】
これによれば、保持部材１４は、屈曲部１４２，１４２が、釣り人のポケット１５の前布部１５１を挿入する如く挿入した装着状態において、その係合部１４４がポケット１５の衣服本体面１５２に係止されると共に、その突部１４３、１４３がポケット１５の前布部１５１を介して容器本体１０の後面側に当接されることにより、容器本体１０のポケット１５に対する傾きを規制する。これにより、例えば釣り人が前に屈んで、その重みが前に加わった場合にも、保持部材１４の突部１４３，１４３及び係合部１４４が、容器本体１０のポケット１５に対する傾きを規制して移動を防止し、該容器本体１０をポケット１５と略同様の傾斜角度に維持することで、釣り人の動きに合致され、その傾き過ぎによる容器本体１０内の水や餌が外にこぼれるのを防止することができる。なお、突部１４３、１４３は、容器本体１０に平時は当接しておらず、容器本体１０に荷重した時に当接するようにしてもよい。この結果、釣り人の動きに合致した容器本体１０の装着が実現されると共に、多様な釣り形態に好適する各種の使用形態が実現される。なお、保持部材１４は、容器本体１０の周壁のうち後面に取付けたが、その他の周壁の前面や底面に取り付けてもよく、又、フレーム部材１１と一体的に形成してもよい。
【００２５】
また、この発明は、上記実施の形態に限ることなく、その他、図４及び図５、図６に示すように構成することも可能で、上記実施の形態と略同様の効果を期待することができる。但し、この図４乃至図６においては、上記図１乃至図３と同一部分について同一符号を付して、そ詳細な説明を省略する。
【００２６】
図４及び図５の実施の形態においては、上記実施の形態の金属材料製等の線材に代えて板状の金属材料や樹脂材料を用いて保持部材２０を形成したものである。この保持部材２０には、上記実施の形態と略同様に容器本体取付用の取付部２０１と、係止部を構成する屈曲部２０２と、位置規制用の突部２０３及び位置規制用の係合部２０４とが順に折曲形成され、その取付部２０１が容器本体１０に設けられる取付孔１０３に挿入されて取付けられる。
【００２７】
また、図６の実施の形態においては、保持部材３０を、上記図１乃至図３の実施の形態において説明した金属材料製の線材を折曲形成した保持部材１４の容器本体取付用の取付部１４１，１４１、位置規制用の突部１４３，１４３、位置規制用の係合部１４４に対応する構成として容器本体取付用の取付部３０１，３０１と、位置規制用の突部３０３，３０３と、位置規制用の係合部３０４とを形成し、その取付部３０１，３０１と突部３０３，３０３との間に、衣服のポケット１５等に取付ける係止部３０２，３０２を、容器本体１０の上面より上方に突出しないように折曲形成するように構成したものである。また、係止部３０２、３０２は、容器本体１０の後面から後方に向けて突出する部分と下方に向けて屈曲した部分で形成される。したがって、被取付部は、係止部３０２、３０２と容器本体１０の後面の間に差し込まれ、被取付部が係止部３０２、３０２の上記後方に向けて突出する部分に当接して係止される。
【００２８】
なお、この図６に示す実施の形態における保持部材３０は、金属材料製等の線材に代えて板状の金属材料あるいは樹脂材料を用いて構成してもよい。
【００２９】
また、上記各実施の形態においては、いずれも保持部材１４，２０，３０に突部１４３，２０３，３０３と係合部１４４，２０４，３０４の双方を設けるように構成した場合で説明したが、これに限ることなく、例えば容器本体１０に対して屈曲部１４２，２０２、係止部３０２より下方に位置し、且つ、容器本体１０に対して屈曲部１４２，２０２、係止部３０２より大きく離間するように該屈曲部１４２，２０２、係止部３０２に連続して直接的に係合部１４４，２０４，３０４を形成し、突部１４３，２０３，３０３を設けないように構成しても良い。
【００３０】
さらに、上記各実施の形態では、断面略四辺形状の容器本体１０に適用した場合で説明したが、これに限ることなく、その他、断面略楕円形状等の各種の形状のものに適用することが可能で、いずれにおいても同様の効果が期待される。
【００３１】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３２】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３３】
【図１】この発明の一実施の形態に係る釣用撒餌杓を前面側から見た状態を示した平面図である。
【図２】図１を後面側から見た状態を示した平面図である。
【図３】図１の要部を断面して示した断面図である。
【図４】この発明の他の実施の形態に係る釣用撒餌杓を後面側から見た状態を示した平面図である。
【図５】図４の要部を断面して示した断面図である。
【図６】この発明の他の実施の形態に係る釣り用餌箱の要部を断面して示した断面図である。
【符号の説明】
【００３４】
１０…容器本体、１０１…中敷き、１０２、１０３…取付孔、１１…フレーム部材、１２…ヒンジ部、１３…蓋体、１４…保持部材、１４１…取付部、１４２…屈曲部、１４３…突部、１４４…係合部、１５…ポケット、１５１…前布部、１５２…衣服本体面、２０…保持部材、２０１…取付部、２０２…屈曲部、２０３…突部、２０４…係合部、３０…保持部材、３０１…取付部、３０２…係止部、３０３…突部、３０４…係合部。
【図１】
2005269939.tif 000003
【図２】
2005269939.tif 000004
【図３】
2005269939.tif 000005
【図４】
2005269939.tif 000006
【図５】
2005269939.tif 000007
【図６】
2005269939.tif 000008
【手続補正書】
【提出日】平成16年3月30日(2004.3.30)
【手続補正２】
【補正対象書類名】明細書
【補正対象項目名】００３３
【補正方法】変更
【補正の内容】
【００３３】
【図１】この発明の一実施の形態に係る釣り用餌箱を前面側から見た状態を示した平面図である。
【図２】図１を後面側から見た状態を示した平面図である。
【図３】図１の要部を断面して示した断面図である。
【図４】この発明の他の実施の形態に係る釣り用餌箱を後面側から見た状態を示した平面図である。
【図５】図４の要部を断面して示した断面図である。
【図６】この発明の他の実施の形態に係る釣り用餌箱の要部を断面して示した断面図である。